(57)【要約】【課題】搬送荷物の収納、取り出しが簡単で、車体への固定を短時間で確実に行なえる自動二輪車用の荷物積載装置を提供する。【解決手段】搬送荷物を収納する蓋付き円筒状容器と、該容器の外側面を保護、補強する２個の半割り円筒を蝶番で結合した補強材と、該補強された蓋付き円筒状容器を水平姿勢で自動二輪車車体上に支持する支持部品と、支持された補強付き蓋付き円筒状容器上面を押さえる四角形状押さえ布片と、補強された蓋付き円筒状容器を縛って四角形状押さえ布片にバックルを使用して接続するベルトで構成し、支持部品で支持された円筒状容器を四角形状押さえ布片にて車体側に押し付けた状態にして押さえ布片４隅に片側を接続した紐体を車体側面突起物に固定する。【選択図】図１
2018193014.tif 000002
【特許請求の範囲】
【請求項１】
自動二輪車用の荷物積載装置であって、搬送荷物を収納する蓋付き円筒状容器と、該容器の外側面を囲う補強材であって縦割り２分割した２個の半円筒を蝶番にて開閉可能に結合し、その長手方向中央部内周面に設けた凹状部を前記容器の長手方向中央部内周面に設けた凸状部に勘合させて該容器を保持する補強材と、該補強材で補強された前記容器を車体前後方向に直角な水平姿勢で自動二輪車車体上に支持する支持部品と、該支持部品で支持された前記補強された容器上面を押さえる四角形状押さえ布片と、前記補強材の長手方向中央部外周を縛ると共に該補強材を前記押さえ布片にバックルを使用して繋いでおくベルトと、前記押さえ布片の４隅に片側が接続され前記支持部品にて支持された前記容器を囲う補強材を該押さえ布片にて車体側に押し付けた状態で車体に固定しておく複数本の紐体とからなることを特徴とする自動二輪車用の荷物積載装置。
【請求項２】
請求項１に記載の自動二輪車用の荷物積載装置であって、前記蓋付き円筒状容器は円筒長さ方向中央部外周面には前記ベルトの幅より少し幅広の凹状部が、同じ部分の内周面には凸状部が形成されており、
前記補強材は上側補強材と下側補強材で構成され、両補強材は縦割り２分割した半円筒形状で長さは前記容器の長さに略等しく、その長さ方向中央部内周面には内面に凸状部が形成された前記容器が丁度嵌まる凸状部が形成され、長さ方向中央部外周面には前記ベルトが嵌まる幅の凹状部が形成され、両補強材は片方の直線状縁部外側に取り付けた蝶番で開閉可能に繋がれ、前記容器を両者間に挟んだ状態で両補強材を断面円状にした状態では他方の直線状縁部外側に取り付けたパチン錠で両者を円筒状に結合できるようにしてあり、
前記ベルトはパチン錠で結合されて円筒状となった補強材外側の凹状部に嵌め込み、一端に取り付けた第１のバックルで締め付け取り付けしておくベルトで、該第１のバックルには第２のバックルの雄部材が一体的に取り付けてあり、
前記四角形状押さえ布片は幅が前記補強材の長さに略等しく、長さは補強材の外円周長の略半分に等しい四角形状で、その中央部には前記ベルトが通過できる大きさの四角形穴が形成されてその幅方向に伸びる一辺の縁部には前記第２のバックルの雌部材が取り付けてあり、
前記支持部品は前記補強材の外側凹状部に嵌まる厚さの台形で、上面は該補強材の側面の一部が嵌まる円弧状に形成されており、
かかる構成にて搬送荷物を前記蓋付き円筒状容器に収納し、該容器を前記補強材で覆って前記パチン錠で固定し、該状態の外側に前記ベルトを巻き付けて前記第１のバックルで絞め、該状態の全体を前記支持部品に載せて車体の荷台あるいは座席後方のシートカウル上に前記容器を進行方向に直角な水平姿勢で載置し、該状態の補強材上側に前記押さえ布片を被せた状態で押さえ布片の前記第２のバックルの雌部材と前記ベルト側の第２のバックルの雄部材を結合させ、該状態にて押さえ布片の４隅に片側を接続した複数本の前記紐体にて支持部品で支持された前記容器を収容した前記補強材を前記押さえ布片で車体側に押し付けた状態で車体に固定するように構成されていることを特徴とする自動二輪車用の荷物積載装置。
【請求項３】
請求項１又は２に記載の自動二輪車用の荷物積載装置であって、前記蓋付き円筒状容器に代えて円筒状袋体を使用し、該円筒状袋体の外面には前記ベルトの通るベルト通しを取り付け、前記上側補強材と下側補強材の前記凹状部には前記ベルトを通す孔を設け、前記ベルトは前記第１のバックルが取り付けられていない側の端から上側補強材の前記孔に差し込み、前記ベルト通しを通って前記円筒状袋体の周りを廻って前記下側補強材の前記孔から外側に引きだし、上側補強材と下側補強材が前記パチン錠にて結合状態にされた後に前記第１のバックルにて補強材を締めつけた状態で取り付けるように構成されていることを特徴とする自動二輪車用の荷物積載装置。
【請求項４】
請求項１乃至３の何れかに記載の自動二輪車用の荷物積載装置であって、前記四角形状押さえ布片の外面には複数のフックを取り付け、外面にフックの取り付けた搬送荷物収納済み袋体を、該フックを前記押さえ布片の外面フックに係合させることより追加積載可能にされていることを特徴とする自動二輪車用の荷物積載装置。
【発明の詳細な説明】
【技術分野】
【０００１】
本発明は、搬送荷物を自動二輪車に積載する自動二輪車用の荷物積載装置に関する。
【背景技術】
【０００２】
自動二輪車に荷物を積載する場合には、座席後方や車体側面に取り付けた荷物収納装置に入れたり、荷物をそのまま同乗者用座席シート、その後方のキャリアと呼ばれる荷台、あるいは座席後方の車体を覆うシートカウルの上などに載置したりしてバンド、紐、ネット等で車体に固定する方法が行なれる（特許文献１〜３参照）。
【０００３】
しかし、自動二輪車に既設の荷物収納装置に荷物を収納する方法は簡単ではあるが、通常、収納できる荷物は小型でその形状にも制約が多く、使い勝手が悪い。キャリアやシートカウル上に置いて縛る方法は、比較的大きい、様々な形状の荷物の積載に適用できるが、様々な形状の荷物をバンドや紐を使用して車体へ固定したり、取り外したりするのは手間がかかり不便である。荷物の固定方法が適当でない場合には、搬送中に荷物がずれたり落下したりする危険性がある。
【先行技術文献】
【特許文献】
【０００４】
【特許文献１】特許第３６８９３９７号公報
【特許文献２】特許第４９９７２３０号公報
【特許文献３】特許第４５２３０２５号公報
【発明の概要】
【発明が解決しようとする課題】
【０００５】
本発明は、従来技術のこうした問題点を解決するためになされたもので、その課題は、搬送荷物の収納、取り出しが簡単で、車体への固定を短時間で確実に行なうことのできる自動二輪車用の荷物積載装置を提供することにある。
【課題を解決するための手段】
【０００６】
前記課題を解決するための請求項１に記載の発明は、自動二輪車用の荷物積載装置であって、搬送荷物を収納する蓋付き円筒状容器と、該容器の外側面を囲う補強材であって縦割り２分割した２個の半円筒を蝶番にて開閉可能に結合し、その長手方向中央部内周面に設けた凹状部を前記容器の長手方向中央部内周面に設けた凸状部に勘合させて該容器を保持する補強材と、該補強材で補強された前記容器を車体前後方向に直角な水平姿勢で自動二輪車車体上に支持する支持部品と、該支持部品で支持された前記補強された容器上面を押さえる四角形状押さえ布片と、前記補強材の長手方向中央部外周を縛ると共に該補強材を前記押さえ布片にバックルを使用して繋いでおくベルトと、前記押さえ布片の４隅に片側が接続され前記支持部品にて支持された前記容器を囲う補強材を該押さえ布片にて車体側に押し付けた状態で車体に固定しておく複数本の紐体とからなることを特徴とする自動二輪車用の荷物積載装置である。
【０００７】
このような構成とすれば、搬送荷物を収納した蓋付き円筒状容器を簡単、確実に自動二輪車に取り付けることができる。荷物を収納した蓋付き円筒状容器を自動二輪車から外すことも容易であり、離れた場所で容器への荷物の出し入れが可能である。
【０００８】
また、請求項２に記載の発明は、請求項１に記載の自動二輪車用の荷物積載装置であって、前記蓋付き円筒状容器は円筒長さ方向中央部外周面には前記ベルトの幅より少し幅広の凹状部が、同じ部分の内周面には凸状部が形成されており、前記補強材は上側補強材と下側補強材で構成され、両補強材は縦割り２分割した半円筒形状で長さは前記容器の長さに略等しく、その長さ方向中央部内周面には内面に凸状部が形成された前記容器が丁度嵌まる凸状部が形成され、長さ方向中央部外周面には前記ベルトが嵌まる幅の凹状部が形成され、両補強材は片方の直線状縁部外側に取り付けた蝶番で開閉可能に繋がれ、前記容器を両者間に挟んだ状態で両補強材を断面円状にした状態では他方の直線状縁部外側に取り付けたパチン錠で両者を円筒状に結合できるようにしてあり、前記ベルトはパチン錠で結合されて円筒状となった補強材外側の凹状部に嵌め込み、一端に取り付けた第１のバックルで締め付け取り付けしておくベルトで、該第１のバックルには第２のバックルの雄部材が一体的に取り付けてあり、前記四角形状押さえ布片は幅が前記補強材の長さに略等しく、長さは補強材の外円周長の略半分に等しい四角形状で、その中央部には前記ベルトが通過できる大きさの四角形穴が形成されてその幅方向に伸びる一辺の縁部には前記第２のバックルの雌部材が取り付けてあり、前記支持部品は前記補強材の外側凹状部に嵌まる厚さの台形で、上面は該補強材の側面の一部が嵌まる円弧状に形成されており、かかる構成にて搬送荷物を前記蓋付き円筒状容器に収納し、該容器を前記補強材で覆って前記パチン錠で固定し、該状態の外側に前記ベルトを巻き付けて前記第１のバックルで絞め、該状態の全体を前記支持部品に載せて車体の荷台あるいは座席後方のシートカウル上に前記容器を進行方向に直角な水平姿勢で載置し、該状態の補強材上側に前記押さえ布片を被せた状態で押さえ布片の前記第２のバックルの雌部材と前記ベルト側の第２のバックルの雄部材を結合させ、該状態にて押さえ布片の４隅に片側を接続した複数本の前記紐体にて支持部品で支持された前記容器を収容した前記補強材を前記押さえ布片で車体側に押し付けた状態で車体に固定するように構成されていることを特徴とする自動二輪車用の荷物積載装置である。
【０００９】
このような構成の荷物積載装置は、請求項１に記載の発明と同様の効果を奏する。
【００１０】
また、請求項３に記載の発明は、請求項１又は２に記載の自動二輪車用の荷物積載装置であって、前記蓋付き円筒状容器に代えて円筒状袋体を使用し、該円筒状袋体の外面には前記ベルトの通るベルト通しを取り付け、前記上側補強材と下側補強材の前記凹状部には前記ベルトを通す孔を設け、前記ベルトは前記第１のバックルが取り付けられていない側の端から上側補強材の前記孔に差し込み、前記ベルト通しを通って前記円筒状袋体の周りを廻って前記下側補強材の前記孔から外側に引きだし、上側補強材と下側補強材が前記パチン錠にて結合状態にされた後に前記第１のバックルにて補強材を締めつけた状態で取り付けるように構成されていることを特徴とする自動二輪車用の荷物積載装置である。
【００１１】
このような構成とすれば、搬送荷物を収納する部分に袋体を使用することができる。袋体は車体から外して別の場所で荷物の出し入れができる。
【００１２】
また、請求項４に記載の発明は、請求項１乃至３の何れかに記載の自動二輪車用の荷物積載装置であって、前記四角形状押さえ布片の外面には複数のフックを取り付け、外面にフックを取り付け搬送荷物収納済み袋体を、該フックを前記押さえ布片の外面フックに係合させることより追加積載可能にされていることを特徴とする自動二輪車用の荷物積載装置である。
【００１３】
このような構成とすれば、積載する荷物の量を増やすことができる。
【図面の簡単な説明】
【００１４】
【図１】本発明に係る荷物積載装置１を自動二輪車２の後部に取り付けた状態の斜視図である。
【図２】荷物積載装置１の分解斜視図である。
【図３】荷物積載装置１の各部品の組立て方の説明図である。
【図４】蓋付き円筒状容器３の側面図と断面図である。
【図５】ベルト５と第１のバックル５１の拡大図である。
【図６】第２のバックル５２の他の実施形態である。
【図７】支持部品６を自動二輪車２の後部に載せた状態図である。
【図８】支持部品６の上に蓋付き円筒状容器３を収納した補強材４を載せた状態図である。
【図９】袋体１３と、その袋体１３を下側補強材４ｂの内側に載せた状態図である。
【図１０】ベルト５の取り付け方の説明図である。
【図１１】車体２の後部に載置した支持部品６に袋体１３を収納した蓋付き円筒状容器３を載せた状態図である。
【図１２】袋体１３を収納した蓋付き円筒状容器３を車体２に固定した状態である。
【図１３】追加積載する袋体１５と、その袋体１５を取り付ける四角形状押さえ布片７の形状図である。
【図１４】変形実施形態２で使用する四角形状押さえ布片７で袋体１３を収納した蓋付き円筒状容器３を車体２に固定した状態図である。
【図１５】追加積載する袋体１５を取り付けた状態図である。
【発明を実施するための形態】
【００１５】
以下、本発明に係る自動二輪車用の荷物搬送装置の一実施形態について図面を参照して説明する。図１は本発明に係る荷物搬送装置１を自動二輪車２の後部に取り付けた状態の斜視図、図２はその荷物搬送装置１の分解斜視図である。荷物搬送装置１は蓋付き円筒状容器３、上側補強材４ａと下側補強材４ｂからなる補強材４、ベルト５、支持部品６、四角形状押さえ布片７から構成される。図３はそれら部品の組立て方の説明図である。
【００１６】
蓋付き円筒状容器３は搬送荷物を収納する蓋付きの円筒状容器で、図４の（１）にその側面図、図４の（２）に断面図を示す。蓋付き円筒状容器３は合成樹脂で製作されており、円筒状の容器本体３ａの両端にはねじ込み式の蓋３ｂが取り付けてある。蓋３ｂは片側だけでもよく、ねじ込み式でなくパチン錠で取り付けてもよい。蓋付き円筒状容器３は円筒長さ方向の中央部外周面に前記ベルト５の幅より少し幅広の凹状部３ｃが形成されている。
【００１７】
補強材４は蓋付き円筒状容器３を包み込んで、その外側面を保護、補強するものである。補強材４は図２に示すように、蓋付き円筒状容器３の容器本体部の長さに略等しい長さの円筒を縦方向に２分割した半円筒状の上側補強材４ａ、下側補強材４ｂで構成されている。上側補強材４ａ、下側補強材４ｂは２個の蝶番４ｃで開閉可能に繋がれている。二つの補強材４ａ、４ｂが閉じて円筒状になったときの内面形状は、図３の（１）に示すように蓋付き円筒状容器３がその内面に丁度、納まる形状にされている。また、その外周面にはベルト５が納まる幅の凹状部４ｄが形成されている。更に、蝶番４ｃが取り付けられた半円筒状の辺部とは反対側の半円筒状の辺部外面には、上側補強材４ａ、下側補強材４ｂの閉じた状態を維持するためのパチン錠４ｅが２個取り付けられている。使用に際しては、図３の（１）に示すように上側補強材４ａ、下側補強材４ｂを開いた状態にして内側に蓋付き円筒状容器３を載せる。その状態で上側補強材４ａ、下側補強材４ｂを閉じ、２個のパチン錠４ｅを結合させ、図３の（２）に示すように蓋付き円筒状容器３を包み込んでその外側面を保護、補強する。
【００１８】
ベルト５はパチン錠４ｅで結合されて円筒状となった補強材４の外面凹状部４ｄに嵌め込んだ状態で取り付けしておくベルトであり、一端に取り付けた第１のバックル５１により両端を結合して図３の（２）に示すように凹状部４ｄに取り付ける。図５はベルト５と第１のバックル５１の拡大図である。ベルト５は凹状部４ｄに嵌め込んだ状態で締め付け固定されるので円筒状の補強材４から外れることはない。この第１のバックル５１には第２のバックル５２の雄部材５２ａが一体構成に連結して取り付けられている。
【００１９】
四角形状押さえ布片７は補強材４で保護された蓋付き円筒状容器３を自動二輪車２の後部に固定するための四角形状の押さえ布片である。その形状は図２、図３の（４）に示したように、幅は蓋付き円筒状容器３の長さに略等しく、長さは蓋付き円筒状容器３を収容した補強材４の外円周長の略半分に等しい四角形状である。その中央部にはベルト５が通過できる大きさの四角形穴が形成され、その四角形穴の幅方向に伸びる一辺の縁部には第１のバックル５１と一体構成した前記第２のバックル５２の雌部材５２ｂが取り付けてある。第２のバックル５２の雄部材５２ａと雌部材５２ｂは、図３の（４）に示すように四角形状押さえ布片７を補強材４に被せた状態で連結される。なお、第２のバックル５２の雄部材５２ａは第１のバックル５１と一体構成ではなく、図６に示すように第１のバックル５１とは分離した構成としてベルト５に取り付けてもよい。四角形状押さえ布片７の四角形の４隅には、蓋付き円筒状容器３を収容した補強材４を自動二輪車２に固定する際に使用する複数本の紐体８が取り付けてある。
【００２０】
支持部品６は補強材４の外側凹状部に嵌まる厚さの台形で、上面は補強材４の側面の一部が丁度嵌まる円弧状に形成されている。
【００２１】
次に、かかる構成の部品を使用して搬送荷物を自動二輪車２に積載する手順について説明する。搬送荷物は蓋付き円筒状容器３の蓋３ｂを開けて容器本体３ａに収納し蓋３ｂを閉じる。荷物を収納した蓋付き円筒状容器３は図３の（１）に示すように開いた補強材４の内側に置き、図３の（２）に示すように補強材４を閉じてパチン錠４ｅで閉じた状態を固定する。閉じた状態の補強材４の外面凹状部４ｄにベルト５を巻き付け、一端に取り付けた第１のバックル５１にて両端を結合し、図３の（３）に示すように補強材４を締めつけるようにしてベルト５を取り付ける。
【００２２】
次に、図７に示すように支持部品６を自動二輪車２の後部の荷台、あるいは座席後方のシートカウル上に、長手方向を車体の前後方向にして水平姿勢で載せる。その上に、図８に示すように蓋付き円筒状容器３を収納した補強材４を載せる。蓋付き円筒状容器３は進行方向に直角になる。この状態の補強材４の上側に図３の（４）に示したように四角形状押さえ布片７を被せ、被せた状態でベルト５側の第２のバックル５２の雄部材５２ａと、四角形状押さえ布片７の第２のバックル５２の雌部５２ｂとを結合させる。これより、蓋付き円筒状容器３を収納した補強材４は四角形状押さえ布片７に繋がった状態となる。この状態にて押さえ布片７の４隅に片端を接続した複数本の紐体８の他方端を、四角形状押さえ布片７にて補強材４を車体２側に強く押し付けた状態にして車体２両側にある突起物に固定する。これにより搬送荷物を収納した蓋付き円筒状容器３は、図１に示したように車体２に取り付けられた状態となる。
【００２３】
このような構成によれば、搬送荷物は蓋付き円筒状容器３に収納され、その蓋付き円筒状容器３は外面側の凹状部３ｃに補強材４内面の凸状部が嵌まり込み、その補強材４はパチン錠４ｅで閉じた状態が維持されるため蓋付き円筒状容器３が閉じた状態の補強材４から抜け落ちることはない。補強材４は外面の凹状部４ｄにベルト５が巻き付け固定されており、そのベルト５は第２のバックル５２にて四角形状押さえ布片７に繋がれ、その四角形状押さえ布片７は複数本の紐体８にて車体２に固定される。このため補強材４が車体２から脱落することはない。補強材４はその外面の凹状部３ｃに嵌まる厚さの上面円弧状の支持部品６に載せられて車体に押し付けられているので、補強材４が車体２横方向に抜け落ちることも防止されている。
【００２４】
搬送荷物は蓋付き円筒状容器３を常時、図１のように車体２に取り付けた状態にしておいて蓋３ｂを開けて出し入れしてもよい。また、車体２から外した状態の蓋付き円筒状容器３に収納し、搬送荷物を収納した後に前述の搬送手順で説明した順序で蓋付き円筒状容器３を車体２に固定してもよい。搬送荷物の取り出しは、前述の搬送手順で説明した順序とは逆の順序で蓋付き円筒状容器３を車体２から取り外し、別の場所で搬送荷物を取り出してもよい。このように本実施形態の荷物搬送装置１は、搬送荷物の収納、取り出しが簡単で、自動二輪車への固定を短時間で確実に行なうことができる。
【００２５】
前記自動二輪車用の荷物搬送装置１は、次のように変形して実施してもよい。
（変形実施形態１）
この実施形態は前記実施形態における合成樹脂製の蓋付き円筒状容器３に代えて、繊維製の袋体を使用するものである。袋体１３は図９の（１）に示すような円筒形状で、片側に搬送荷物の出し入れ口１３ａがロック機能の付いたファスナーや紐を用いて設けてある。袋体１３は図９の（２）に示すように、上側補強材４ａ、下側補強材４ｂを開いた状態にして下側補強材４ｂの内側に載せる。この状態でベルト５を取り付ける。
【００２６】
図１０の（１）はベルト５の通し方の説明図である。本実施形態の場合、上側補強材４ａ、下側補強材４ｂの凹状部４ｄにはベルト５を通す孔４ｆを設けておく。また、袋体１３にはベルト５を通すベルト通し１３ｂを取り付けておく。第１のバックル５１の付いてない側のベルト５の先を上側補強材４ａの孔４ｆに外側から内側に通す。通した先を袋体１のベルト通し１３ｂに通し、袋体１の周りに巻き付けた後、下側補強材４ｂの孔４ｆから外側に引き出す。この状態で上側補強材４ａ、下側補強材４ｂを閉じ、パチン錠で円筒状に固定する。図１０の（１）では上側補強材４ａ、下側補強材４ｂは分離して描いてあるが、実際には２個の蝶番４ｃで繋がっている。パチン錠で円筒状に固定した後、ベルト５の第１のバックル５１にてベルト５を図１０の（２）に示すように補強材４の周りに締め付け固定する。
【００２７】
図１０の（２）に示すような形状に補強材された袋体１は前述の基本実施形態の場合と同様に、車体２の後部に載置した支持部品６の上に図１１に示すように載せる。そして、四角形状押さえ布片７を被せ、被せた状態でベルト５側の第２のバックル５２の雄部材５２ａと、四角形状押さえ布片７の第２のバックル５２の雌部５２ｂとを結合させる。これより、袋体１を収納した補強材４は四角形状押さえ布片７に繋がった状態となる。この状態にて押さえ布片７の４隅に片端を接続した複数本の紐体８の他方端を、四角形状押さえ布片７にて補強材４を車体２側に強く押し付けた状態にして車体２両側にある突起物に固定する。これにより搬送荷物を収納した袋体１３は、図１２に示したように車体２に取り付けられた状態となる。袋体１はベルト通し１３ｂ、ベルト５、第２のバックル５２により四角形状押さえ布片７に繋がっているので車体から外れて落下することはない。
【００２８】
（変形実施形態２）
この実施形態は前記基本実施形態、変形実施形態１の場合に対し、搬送荷物を収納した小型の袋体１５を１乃至３個、追加取り付けして搬送する実施形態である。追加取り付けする袋体１５は図１３の（１）に示すように変形実施形態１で使用した袋体１３と同じ円筒形状で、径は少し小さくしてある。その外面には２個のフック１５ａが長手方向に間隔をおいて取り付けてある。
【００２９】
四角形状押さえ布片７の外面には、図１３の（２）に示すように袋体１５の２個のフック１５ａと係合させる一対のフック７ａを３個所に取り付ける。このような四角形状押さえ布片７を使用して蓋付き円筒状容器３を図１４に示すように車体２に固定した後、その外面のフック７ａに搬送荷物を収納した袋体１５を１乃至３個、図１４に示すように取り付ける。このようにすることで積載荷物の量を増やすことができる。
【符号の説明】
【００３０】
図面中、１は荷物搬送装置、２は自動二輪車、３は蓋付き円筒状容器、３ａは蓋付き円筒状容器の本体部、３ｂは蓋、３ｃは凹状部、４は補強材、４ａは上側補強材、４ｂは下側補強材、４ｃは蝶番、４ｄは凹状部、４ｅはパチン錠、４ｆは孔、５はベルト、６は支持部品、７は四角形状押さえ布片、８は紐体、１３は円筒状袋体、１３ｂはベルト通し、１５は追加搬送用袋体、５ａはフック、５１は第１のバックル、５２は第２のバックル、
５２ａは第１のバックルの雄部材、５２ｂは第１のバックルの雌部材を示す。
【図１】
2018193014.tif 000003
【図２】
2018193014.tif 000004
【図３】
2018193014.tif 000005
【図４】
2018193014.tif 000006
【図５】
2018193014.tif 000007
【図６】
2018193014.tif 000008
【図７】
2018193014.tif 000009
【図８】
2018193014.tif 000010
【図９】
2018193014.tif 000011
【図１０】
2018193014.tif 000012
【図１１】
2018193014.tif 000013
【図１２】
2018193014.tif 000014
【図１３】
2018193014.tif 000015
【図１４】
2018193014.tif 000016
【図１５】
2018193014.tif 000017